(57)【特許請求の範囲】
【請求項１】
上部が開放された下部チェンバーと、
前記下部チェンバーの上部を開閉し、前記下部チェンバーと共に基板に対する工程が行われる内部空間を形成する上部チェンバーと、
前記上部チェンバーの下部に設置され、前記上部チェンバーとの間にバッファ空間が形成され、前記内部空間に向かって反応ガスを供給する噴射孔を備えたシャワーヘッドと、
前記上部チェンバーに形成され前記バッファ空間に向かって反応ガスを供給するガス供給ポートと、
前記バッファ空間内に設置され、前記ガス供給ポートを介して供給された前記反応ガスを拡散させる拡散ユニットと、を含み、
前記拡散ユニットは、前記バッファ空間を前記反応ガスが拡散される相互遮断された複数の拡散区域及び前記ガス供給ポートと前記拡散区域を各々連通する複数の拡散孔、そして前記拡散区域と対応される形状を有して前記拡散区域に選択的に挿入設置される複数の接続孔が前記噴射孔と一致連通するように形成される一つ以上の拡散板を備え、
前記拡散区域の中で第１拡散区域に挿入された前記拡散板の数と前記拡散区域の中で第２拡散区域に挿入された前記拡散板の数は互いに違うことを特徴とする基板処理装置。
【請求項２】
前記拡散ユニットは、前記シャワーヘッドの一面とほぼ平行に前記シャワーヘッドの一面から離隔され設置され、前記拡散孔が形成されるブロックプレートと、前記シャワーヘッドに形成される噴射孔と対向される前記ブロックプレートの一面から突出され前記ブロックプレートと前記シャワーヘッドの一面の間の離隔された空間を前記拡散区域に区分けする隔壁と、を含むことを特徴とする請求項１に記載の基板処理装置。
【請求項３】
前記拡散区域は、中央区域と、前記中央区域の縁に配置される複数の第１区域と、前記第１区域の縁に配置される複数の第２区域と、を含むことを特徴とする請求項１に記載の基板処理装置。
【請求項４】
前記基板処理装置は、前記シャワーヘッドの下部に位置し前記基板が上部に置かれる支持プレートをさらに含み、
一つ以上の前記拡散板は、前記拡散区域に各々対応される前記基板領域の工程率に従って挿入設置されることを特徴とする請求項１に記載の基板処理装置。
【請求項５】
複数の前記拡散板が前記拡散区域に積層され設置されることを特徴とする請求項１記載の基板処理装置。
【請求項６】
基板に対する工程が行われる内部空間を提供するチャンバーと、
前記内部空間に設置されガス供給ポート供給される反応ガスを拡散させるバッファ空間及び前記内部空間に向かって前記バッファ空間内の反応ガスを供給する噴射孔をそなえたシャワーヘッドと、
前記バッファ空間内に設置され、前記反応ガスを拡散させる拡散ユニットと、を含み、
前記拡散ユニットは、前記反応ガスが拡散される相互遮断された複数の拡散区域及び前記拡散区域と対応される形状を有して前記拡散区域に選択的に挿入設置される複数の接続孔が前記噴射孔と一致連通するように形成される一つ以上の拡散板を備え、
前記拡散区域の中で第１拡散区域に挿入された前記拡散板の数と前記拡散区域の中で第２拡散区域に挿入された前記拡散板の数は互いに違うことを特徴とする基板処理装置。
【請求項７】
前記基板処理装置は、前記基板が上部に置かれる支持プレートをさらに含み、一つ以上の前記拡散板は前記拡散区域に各々対応される前記基板領域の工程率に従って挿入設置されることを特徴とする請求項６に記載の基板処理装置。
【請求項８】
複数の前記拡散板が前記拡散区域に積層され設置されることを特徴とする請求項６に記載の基板処理装置。
【請求項９】
前記拡散区域は、前記基板とほぼ平行に配置されることを特徴とする請求項６に記載の基板処理装置。
【請求項１０】
チェンバーの内部空間に設置され外部から供給される反応ガスが拡散されるバッファ空間及び前記内部空間に向かって前記バッファ空間内の反応ガスを供給する噴射孔を備えたシャワーヘッドを用いて基板処理する方法において、
前記バッファ空間を前記反応ガスが拡散される相互遮断された複数の拡散区域に区分け、前記バッファ空間と前記拡散区域とを連通させ、
前記拡散区域と対応した形状を有して複数の接続孔が前記噴射孔と一致連通するように形成された拡散板を前記拡散区域の中で第１拡散区域と第２拡散区域の数を異なるように挿入して前記基板に対する工程率を調節することを特徴とする基板処理方法。
【請求項１１】
前記拡散区域は、前記基板とほぼ平行に配置されることを特徴とする請求項１０に記載の基板処理方法。
【発明の詳細な説明】
【技術分野】
【０００１】
本発明は、拡散板を選択的に挿入設置する基板処理装置及び基板処理方法に関するもので、より詳しくは複数の拡散区域に対して拡散板を選択的に挿入設置する基板処理装置及び基板処理方法に関する。
【背景技術】
【０００２】
半導体装置は、シリコーン基板上に複数の層（ｌａｙｅｒ）を有しつつ、この層は蒸着工程を介して基板上に蒸着される。この蒸着工程には幾つかの主要な検討すべき課題（ｉｓｓｕｅ）を有しており、これらの検討すべき課題は蒸着される膜を評価し、蒸着方法を選択することにおいて重要である。
【０００３】
第１は、蒸着される膜の「質（ｑｕｌｉｔｙ）」である。これは組成（ｃｏｍｐｏｓｉｔｉｏｎ）、汚染度（ｃｏｎｔａｍｉｎａｔｉｏｎ  ｌｅｖｅｌｓ）、欠陥密度（ｄｅｆｅｃｔ  ｄｅｎｓｉｔｙ）、そして機械的・電気的特性を意味する。膜の組成は蒸着条件に応じて変わることができ、これは特定な組成を得るために非常に重要である。
【０００４】
第２は、ウエハを横切る均一な厚さである。特に、段差が形成される非平面形状のパターン上部に蒸着される膜の厚さが非常に重要である。蒸着される膜の厚さが均一であるか否かは段差の部分に蒸着される最小厚さをパターンの上部面に蒸着される厚さに割った値に定義されるステップカバーリッジ（ｓｔｅｐ  ｃｏｖｅｒａｇｅ）を介して判断することができる。
【０００５】
蒸着に係る他の検討すべき課題は空間を埋めることである。これは金属配線の間を酸化膜を含む絶縁膜で埋めるギャップ埋め（ｇａｐ  ｆｉｌｌｉｎｇ）を含む。
【０００６】
ギャップは金属配線を物理的及び電気的に絶縁させるために提供される。
【０００７】
このような検討すべき課題のうち均一度は蒸着工程に係る主たる検討すべき課題の一つであり、不均一な膜は金属配線上で高い電気抵抗を起こし、機械的な破損の可能性を増加させる。
【発明の概要】
【発明が解決しようとする課題】
【０００８】
本発明の目的は、工程均一度を確保できる基板処理装置及び基板処理方法を提供することにある。
【０００９】
本発明の他の目的は、後術する詳しい説明と添付の図面からより明確になるだろう。
【課題を解決するための手段】
【００１０】
本発明の一実施例によると、基板処理装置は上部が開放された下部チェンバーと、前記下部チェンバーの上部を開閉し、前記下部チェンバーと共に基板に対する工程が行われる内部空間を形成する上部チェンバーと、前記上部チェンバーの下部に設置され、前記上部チェンバーとの間にバッファ空間が形成され、前記内部空間に向かって反応ガスを供給する噴射孔を備えたシャワーヘッドと、前記上部チェンバーに形成され、前記バッファ空間に向かって反応ガスを供給するガス供給ポートと、前記バッファ空間内に設置され、前記ガス供給ポートを介して供給された前記反応ガスを拡散させる拡散ユニットと、を含み、前記拡散ユニットは、前記バッファ空間を前記反応ガスが拡散される相互遮断された複数の拡散区域及び前記ガス供給ポートと前記拡散区域を各々連通する複数の拡散孔、そして前記拡散区域と対応される形状を有して前記拡散区域に選択的に挿入設置される複数の接続孔が前記噴射孔と一致連通するように形成される一つ以上の拡散板を備え、前記拡散区域の中で第１拡散区域に挿入された前記拡散板の数と前記拡散区域の中で第２拡散区域に挿入された前記拡散板の数は互いに違うことを特徴とするものである。
【００１１】
前記拡散ユニットは、前記シャワーヘッドの一面と平行に前記シャワーヘッドの一面から離隔され設置され、前記拡散孔が形成されるブロックプレートと、前記シャワーヘッドに形成される噴射孔と対向される前記ブロックプレートの一面から突出されて前記ブロックプレートと前記シャワーヘッドの一面の間の離隔された空間を前記拡散区域に区分けする隔壁と、を含むことができる。
【００１２】
前記拡散区域は中央区域と、前記中央区域の縁に配置される複数の第１区域と、前記第１区域の縁に配置される複数の第２区域と、を含むことができる。
【００１３】
前記基板処理装置は、前記シャワーヘッドの下部に位置して前記基板が上部に置かれる支持プレートをさらに含み、一つ以上の前記拡散板は前記拡散区域に各々対応される前記基板領域の工程率に応じて挿入設置されることができる。
【００１４】
この際、複数の前記拡散板が前記拡散区域に積層されて設置されることができる。
【００１５】
本発明の他の実施例によると、基板処理装置は基板に対する工程が行われる内部空間を提供するチャンバーと、前記内部空間に設置されガス供給ポート供給される反応ガスを拡散させるバッファ空間及び前記内部空間に向かって前記バッファ空間内の反応ガスを供給する噴射孔をそなえたシャワーヘッドと、前記バッファ空間内に設置され、前記反応ガスを拡散させる拡散ユニットと、を含み、前記拡散ユニットは、前記反応ガスが拡散される相互遮断された複数の拡散区域及び前記拡散区域と対応される形状を有して前記拡散区域に選択的に挿入設置される複数の接続孔が前記噴射孔と一致連通するように形成される一つ以上の拡散板を備え、前記拡散区域の中で第１拡散区域に挿入された前記拡散板の数と前記拡散区域の中で第２拡散区域に挿入された前記拡散板の数は互いに違うものとすることができる。
【００１６】
前記拡散区域は前記基板とほぼ並びに配置されることができる。
【００１７】
本発明の一実施例によると、チャンバーの上部に設置され外部から供給される反応ガスが拡散される相互遮断の複数の拡散区域を有する拡散ユニットを利用して基板を処理する方法は、前記拡散区域に拡散板を選択的に挿入して前記基板に対する工程率を調節する。
【００１８】
この際、前記基板に対する工程率を調査し、前記拡散区域の中、前記基板のうち工程率が高い領域と対応される第１拡散区域に前記拡散板を挿入することができる。
【００１９】
また、前記基板に対する工程率を調査し、前記拡散区域の中、前記基板のうち工程率が低い領域と対応される第２拡散区域に挿入される前記拡散板を除去することができる。
【発明の効果】
【００２０】
本発明によると工程均一度を確保することができる。
【図面の簡単な説明】
【００２１】
【図１】本発明による基板処理装置を概略的に示す図である。
【図２】図１に示す拡散ユニットを概略的に示す図である。
【図３】図１に示す拡散区域に選択的に挿入設置される拡散板を示す図である。
【図４】図１に示す拡散区域に選択的に挿入設置される拡散板を示す図である。
【図５】図１に示す拡散区域に拡散板が選択的に挿入設置される模様を示す図である。
【図６】図１に示す拡散ユニットを用いた実験結果を示すグラフである。
【図７】図１に示す拡散ユニットを用いた実験結果を示すグラフである。
【図８】図２を変更した模様を示す図である。
【発明を実施するための形態】
【００２２】
以下、本発明の詳しい説明を添付の図１〜図８を参考にさらに詳しく説明する。本発明の実施例は多様な形態に変更されることができ、本発明の範囲が以下で説明する実施例に限定されるものに解析されてはいけない。本実施例は当該発明が属する技術分野で通常の知識を有する者に本発明をより詳しく説明するために提供するものである。よって、図に示す各要素の形状はより明らかな説明を強調するために誇張され得る。
【００２３】
一方、以下では蒸着装置を例に挙げて説明しているが、本発明の範囲はこれに限定されず、反応ガスを用いて基板を処理する多様な工程に応用され得る。
【００２４】
図１は、本発明による基板処理装置を概略的に示す図であり、図２は図１に示す拡散ユニットを概略的に示す図である。図１に示すように、基板処理装置は下部チャンバー１０及び上部チャンバー２０を含む。下部チャンバー１０は上部が開放の形状で、上部チャンバー２０は下部チャンバー１０の開放の上部を開閉する。上部チャンバー２０が下部チャンバー１０の開放の上部を閉鎖すると、下部チャンバー１０及び上部チャンバー２０は外部から閉鎖の内部空間１２を形成する。
【００２５】
下部チャンバー１０はチャンバー内部１１を有して、下部チャンバー１０の内部にはウエハ６０が上面に置かれる支持プレート７０が設置され、支持台７１は支持プレート７０の下部に接続されて支持プレート７０を支持する。
【００２６】
上部チャンバー２０の内部にはガス供給ポート２１が形成され、外部から供給される反応ガスはガス供給ポート２１を介して内部空間１２に流入される。反応ガスはウエハ６０表面に薄膜を蒸着させるために提供される。
【００２７】
シャワーヘッド４００は上部チャンバー２０の下部に接続され、シャワーヘッド４００は両端に形成される締結孔４２を介して上部チャンバー２０にボルトＢで締結されることができる。バッファ空間４１はシャワーヘッド４００と上部チャンバー２０の間の離隔される空間に形成され、ガス供給ポート２１を介して供給される反応ガスはバッファ空間４１で拡散される。
【００２８】
シャワーヘッド４００はバッファ空間４１と内部空間１２を連通する複数の噴射孔４１０を有し、噴射孔４１０はメイン孔４１１と補助孔４１２に分けられる。図１に示すように、メイン孔４１１の噴射角度は補助孔４１２の噴射角度より大きい。これを介して反応ガスの噴射角に対する死角地域を除去することができる。
【００２９】
一方、シャワーヘッド４００の下部面には突出部４３０が形成され、突出部４３０の内側には誘導溝４４０が形成される。誘導溝４４０は噴射孔４１０を介して噴射される反応ガスを案内し均一な噴射が行われるようにする。
【００３０】
拡散ユニット５０はバッファ空間４１の内部に挿入設置され、拡散ユニット５０はブロックプレート５２及び隔壁５４を含む。この実施例においては拡散ユニット５０がシャワーヘッド４００の内部に設置されたことと説明しているが、本発明の範囲はこれに限定されるものではなく、拡散ユニット５０がシャワーヘッド４００と別途に提供されるかまたはシャワーヘッド４００と同様の形に提供されてもよい。
【００３１】
ブロックプレート５２はバッファ空間４１の中間高さに設置されてシャワーヘッド４００の内部面から離隔され配置され、複数の拡散孔５３を有する。拡散孔５３はブロックプレート５２の下部に位置するバッファ空間４１とブロックプレート５２の上部に位置するバッファ空間４１を連通する。
【００３２】
隔壁５４の上端はブロックプレート５２の下部面と接し、隔壁５４の下端はシャワーヘッド４００の内部面と接する。隔壁５４はブロックプレート５２を支持することのみならず、ブロックプレート５２の下部に位置するバッファ空間４１を複数の拡散区域５６に区分ける。図１に示すように、拡散区域５６は基板とほぼ並んで配置される。
【００３３】
先に説明したように、ブロックプレート５２は複数の拡散孔５３を有し、ガス供給ポート２１を介してバッファ空間４１に供給される反応ガスは拡散孔５３及びシャワーヘッド４００に形成される噴射孔４１０を介してウエハ６０に供給される。
【００３４】
図２に示すように、隔壁５４は第１〜第３円型隔壁５４１ａ、５４２ａ、５４３ａと第１〜第３放射型隔壁５４１ｂ、５４２ｂ、５４３ｂを含む。第１〜第３円型隔壁５４１ａ、５４２ａ、５４３ａはブロックプレート５２の中心を基準として同心円を構成し、第１〜第３円型隔壁５４１ａ、５４２ａ、５４３ａによって円型の中央区域ａとリング状の第１〜第３区域ｂ、ｃ、ｄに区分けされる。拡散区域５６は中央区域ａと第１〜第３区域ｂ、ｃ、ｄを含む。また、第１〜第３放射型隔壁５４１ｂ、５４２ｂ、５４３ｂは第１〜第３円型隔壁５４１ａ、５４２ａ、５４３ａの外側に接続され、ブロックプレート５２の中心を基準として放射状に配置される。
【００３５】
図３及び図４は図１の拡散区域に選択的に挿入設置される拡散板を示す図であり、図５は図１の拡散区域に拡散板が選択的に挿入設置された模様を示す図である。
【００３６】
上述のように、ブロックプレート５２の下部に位置するバッファ空間４１は隔壁５４（または第１〜第３円型隔壁５４１ａ、５４２ａ、５４３ａ及び第１〜第３放射型隔壁５４１ｂ、５４２ｂ、５４３ｂ）によって複数の拡散区域５６に区分けされ、拡散区域５６は中央区域ａと第１〜第３区域ｂ、ｃ、ｄを含む。
【００３７】
図３及び図４に示す第１及び第２拡散板５１、５８は中央区域ａと第１〜第３区域ｂ、ｃ、ｄに各々挿入設置され、拡散孔５３を介してブロックプレート５２の下部に移動する反応ガスは第１及び第２拡散板５１、５８を経て噴射孔４１０を介してウエハ６０の上部に供給される。第１拡散板５１は中央区域ａに対応される円型であり、複数の接続孔５１ａを有する。第２拡散板５８は第１〜第３区域ｂ、ｃ、ｄに対応される扇形であり、複数の接続孔５８ａを有する。よって、拡散孔５３を介してブロックプレート５２の下部に移動した反応ガスは接続孔５１ａ、５８ａ及び噴射孔４１０を介してウエハ６０の上部に移動する。この際、反応ガスの円滑な流れのために拡散孔５３と接続孔５１ａ、５８ａ、そして噴射孔４１０の位置は互いに一致することがある。
【００３８】
複数の拡散板５１、５８はウエハ６０に対する工程均一度を確保するために使用することができる。拡散板５１、５８は拡散区域５６に選択的に挿入された状態から、拡散区域５６を介して拡散される反応ガスの流れを選択的に妨害し、図５に示すように、使用者は拡散板５１、５８を用いて反応ガスの流れを調節することでウエハＷに対する工程不均一を矯正することができる。
【００３９】
図５を参照すると、中央区域ａには一つの拡散板５１が設置され、第１及び第２区域ｂ、ｃには３個の拡散板５８が積層され設置される。また、左側に位置する第３区域ｄには１個の拡散板５８が設置され、右側に位置する第３区域ｄには２個の拡散板５８が積層され設置される。このように、拡散板５１，５８を拡散区域５６に従って選択的に挿入または除去することができ、拡散区域５６に従って個数が異なることができる。
【００４０】
図６及び図７は図１の拡散ユニットを用いた実験結果を示すグラフである。図６は拡散板５１，５８の個数変化に応じる基板領域に対する蒸着率の変化を示すグラフであり、図７は拡散板５１，５８を用いて矯正した後、基板領域に対する蒸着結果を示すデータである。
【００４１】
図５を参照すると、「Ｉｎｎｅｒ  １'ｓｔ  Ｚｏｎｅ」は中央区域ａ及び第１区域ｂを意味し、「Ｉｎｎｅｒ  ２'ｎｄ  Ｚｏｎｅ」は第２区域ｃ、「Ｏｕｔｅｒ  Ｚｏｎｅ」は第３区域ｄを意味する。また、「Ｐｉｅｃｅ数量」と表示された棒グラフは拡散区域５６に挿入設置された拡散板５１、５８の個数を示す。図示するように、拡散板５１、５８は位置に応じて０個から３個まで挿入するか除去してもよく、蒸着結果に応じて拡散板５１、５８の個数は調節されることができる。
【００４２】
図６及び図７を参照すると、拡散板５１、５８を用いた矯正前の蒸着結果（「Ｂｅｆｏｒｅ」及び「Ｒｅｆｅｒｅｎｃｅ」と表示する）の最小値（Ｍｉｎ）は１９６．５０、最大値（Ｍａｘ）は２１８．５０を示し、均一度（ＵＮＩＦ）は１．６４から５．３１まで大きな幅を示す。
【００４３】
拡散板５１、５８を用いた１次矯正の蒸着結果（「Ａｆｔｅｒ＃１」及び「１次Ｔｕｎｅ」に表示する）、最小値（Ｍｉｎ）は１９７．９０、最大値（Ｍａｘ）は２１６．２０を示し、均一度（ＵＮＩＦ）は２．４９から３．５３まで示す。
【００４４】
拡散板５１、５８を用いた２次矯正の蒸着結果（「Ａｆｔｅｒ＃２」及び「２次Ｔｕｎｅ」に表示する）、最小値（Ｍｉｎ）は２０３．００、最大値（Ｍａｘ）は２１８．７０を示し、均一度（ＵＮＩＦ）は１．３９から２．７３まで示す。
【００４５】
すなわち、図６及び図７に示すように、基板領域の工程率によって拡散板５１、５８を選択的に挿入／除去して矯正した結果、蒸着率及び均一度を速く改善することができる。
【００４６】
一方、本実施例においては、第１〜第３円型隔壁５４１ａ、５４２ａ、５４３ａと第１〜第３放射型隔壁５４１ｂ、５４２ｂ、５４３ｂがすべて設置され拡散区域５６に区分けされることと説明したが、これとは異なって第１〜第３円型隔壁５４１ａ、５４２ａ、５４３ａと第１〜第３放射型隔壁５４１ｂ、５４２ｂ、５４３ｂは、選択的に設置することができる。第１〜第３円型隔壁５４１ａ、５４２ａ、５４３ａと第１〜第３放射型隔壁５４１ｂ、５４２ｂ、５４３ｂの配置が異なる場合、拡散区域５６及び拡散板５１、５８の形状は配置に応じて異なることがある。
【００４７】
また、この実施例においては拡散区域５６がブロックプレート５２（またはシャワーヘッド４００の中心を基準に形成配置されることと説明したが、これとは異なって拡散区域５６はマトリックス状に行と列を形成して配置されてもよい。
【００４８】
図８は図２を変形した模様を示す図である。図２を参照すると、拡散ユニット５０はバッファ空間４１内に設置されるブロックプレート５２を具備するが、図８に示すように、ブロックプレート５２は除去されてもよい。すなわち、隔壁５４はバッファ空間４１の下部を複数の拡散区域５６に区分け、ガス供給ポート２１を介して供給される反応ガスは隔壁５４が設置されないバッファ空間４１の上部を介して隔壁５４が設置される拡散区域５６に移動し、拡散区域５６に選択的に設置された拡散板５１、５８を介して噴射孔４１０に移動することができる。
【００４９】
本発明を好ましい実施例を介して詳しく説明したが、これと異なる形態の実施例も可能である。それで、以下で記載の請求項らの技術的思想と範囲は好ましい実施例に限定されるものではない。
【産業上の利用可能性】
【００５０】
半導体製造装備または平板ディスプレー製造装備に応用されることができ、この他に反応ガスを用いて基板を処理する多様な工程に応用されることができる。
【図１】
0005501459.tif 000002
【図２】
0005501459.tif 000003
【図３】
0005501459.tif 000004
【図４】
0005501459.tif 000005
【図５】
0005501459.tif 000006
【図６】
0005501459.tif 000007
【図７】
0005501459.tif 000008
【図８】
0005501459.tif 000009